(57)【特許請求の範囲】
【請求項１】
カメラの撮影準備操作により開放し、撮影停止操作により閉成するバリア羽根を有するカメラのレンズバリア装置において、
リング状に形成したバリアベースの対称位置の一方位置に一方の２つのバリア羽根を軸支し、その他方位置に他方の２つのバリア羽根を軸支し、さらに、一方の２つのバリア羽根を相対方向に、他方の２つのバリア羽根を相対方向に開閉駆動して４つのバリア羽根各々を一面上で開閉させる構成としたバリア羽根機構と、
上記一方の２つのバリア羽根と他方の２つのバリア羽根の各々に閉成勢力を与えるばね部材と、
撮影準備操作に連動し、上記一方の２つのバリア羽根を相対方向に開放駆動するカムと他方の２つのバリア羽根を相対方向に開放駆動するカムとを備え、上記した４つのバリア羽根を上記ばね部材のばね勢力に抗して開放させるリング状のバリア駆動部材とより構成したことを特徴とするカメラのレンズバリア装置。
【請求項２】
請求項１に記載したカメラのレンズバリア装置において
リング状に形成したバリア駆動部材の周囲部に形成したバヨネット爪をカメラ本体またはレンズ鏡胴の前部に回動自在に連結し、さらに、バリアベースをバリアカバーとしてその周囲部をカメラ本体またはレンズ鏡胴の前部にバヨネット手段で取付ける構成としたことを特徴とするカメラのレンズバリア装置。
【請求項３】
請求項１または２に記載したカメラのレンズバリア装置において、
バリア羽根各々を薄い金属板で形成したことを特徴とするカメラのレンズバリア装置。
【発明の詳細な説明】
【０００１】
【発明の属する技術分野】
この発明は、フイルム使用の写真撮影カメラ、電子スチルカメラ、デジタルカメラ、ビデオカメラなどのカメラに備えて撮影レンズを保護するレンズバリア装置に関する。
【０００２】
【従来の技術】
撮影レンズを保護するために、撮影時には撮影レンズの前側を開放し、撮影停止時には撮影レンズの前側を閉成するレンズバリア装置を備えたカメラが多い。
【０００３】
そして、この種のレンズバリア装置は、一枚のバリア羽根または複数のバリア羽根を備えたバリア構成となっている。
また、カメラ形態によってカメラ本体に直接にバリア羽根を備えたもの、或いは、レンズ鏡胴の前側にバリア羽根を備えたレンズバリア装置がある。
【０００４】
図６、図７は、４枚のバリア羽根を有するレンズバリア装置の従来例を示す。
このレンズバリア装置は、上方に開放動作する上側のバリア羽根１１ａ、１１ｂと、下方に開放動作する下側のバリア羽根１２ａ、１２ｂとを備えている。
【０００５】
そして、上側のバリア羽根１１ａは、操作部１３の押動操作に連動して右旋回する連動レバ−１４によって駆動され、図７に示すように、支軸１５を支点に旋回して開放位置に移動する。
【０００６】
バリア羽根１１ｂは、バリア羽根１１ａの先端部に支軸１６によって回動自在に取付けられており、バリア羽根１１ａの旋回にしたがって図７に示すように上方向に移動して開放動作するが、このバリア羽根１１ｂの摺動ピン１７がガイド孔１８を進むことから、支軸１６と摺動ピン１７によって決まる移動姿勢となる。
【０００７】
下側のバリア羽根１２ａ、１２ｂも同様であって、操作部１３を押動操作すると、連動レバ−１９に駆動されるバリア羽根１２ａが支軸２０を支点に旋回して開放位置に移り、また、バリア羽根１２ａの先端部に支軸２１によって連結されたバリア羽根１２ｂがガイド孔２２を進む摺動ピン２３と支軸２１で決まる移動姿勢で開放位置に移る。
【０００８】
操作部１３は、クリック機構によってバリア羽根を開放させた押動位置で位置規制され、バリア羽根の開放状態を保持する。
【０００９】
また、操作部１３を引っ張り操作して後退させると、支軸１６、２１に係架されたばね２４のばね力で、上側のバリア羽根１１ａ、１１ｂと下側のバリア羽根１２ａ、１２ｂとが戻り移動し、図６に示すように閉成位置に移る。
【００１０】
【発明が解決しようとする課題】
バリア羽根は撮影レンズの前側を全体的に覆う羽根面積が必要となるため、バリア羽根の枚数を少なくするほどバリア羽根の羽根面積を大きくしなければならない。
【００１１】
例えば、一枚のバリア羽根で構成した場合は、羽根面積が広いバリア羽根が必要となり、４枚のバリア羽根で構成する場合は、羽根面積の狭いバリア羽根を使用することができる。
【００１２】
一方、羽根面積の広いバリア羽根は撮影レンズ前面を開放させるために大きく移動変位させる必要があり、開放動作の退避移動距離（撮影レンズの前面を全閉した位置から全開させる位置までの距離）が長くなるが、羽根面積の狭いバリア羽根はその退避移動距離を短くすることができる。
【００１３】
この結果、羽根面積の広い一枚または二枚のバリア羽根を備えたレンズバリア装置は構成が簡単となると言う有利さがある反面、バリア羽根の退避移動距離が長くなるため、それだけ広い組込みスペ−スが必要となる。
例えば、レンズ鏡胴の前面部にレンズバリア装置を備えれば、レンズ鏡胴径を大きくしなければならない。
【００１４】
また、羽根面積の狭い複数のバリア羽根を備えるレンズバリア装置、例えば、従来例として示した図６、図７のレンズバリア装置は、バリア羽根１１ａ、１１ｂ、１２ａ、１２ｂの退避移動距離が短いので、組込みスペ−スの点で有利であるが、構成が複雑化すると言う問題がある。
【００１５】
特に、図６、図７に示すレンズバリア装置の場合、バリア羽根１１ａの先端部にバリア羽根１１ｂを連結し、バリア羽根１２ａの先端部にバリア羽根１２ｂを連結する他に、これらの連結部の支軸１６、２１にばね２４が係架されているために、バリア羽根開放の負荷荷重が大きくなり、軽快な動作のレンズバリア装置が期待できない。
【００１６】
また、このレンズバリア装置は、開放動作によってバリア羽根１１ａと１１ｂとが重なり、バリア羽根１２ａと１２ｂとが重なる上に、さらに、連動レバ−１４がバリア羽根１１ａに、連動レバ−１９がバリア羽根１２ａに各々重なる構成であるため、光軸方向の装置幅が増大すると言う欠点がある。
【００１７】
さらに、バリア羽根を閉成させると、バリア羽根１１ａ、１２ａとバリア羽根１１ｂ、１２ｂとの間に段差が生ずることから、この段差部に塵などが付着すると言う問題がある上、見栄えの点でも好ましくない。
【００１８】
本発明は上記した実情にかんがみ、４つのバリア羽根を備え、これらのバリア羽根を一面で開閉させること、バリア羽根各々をバリア駆動部材のカムによって独立駆動して軽快に、かつ、確実に動作させることができるレンズバリア装置を提供することを目的とする。
【００１９】
【課題を解決するための手段】
上記した目的を達成するため、本発明では、第１の発明として、カメラの撮影準備操作により開放し、撮影停止操作により閉成するバリア羽根を有するカメラのレンズバリア装置において、リング状に形成したバリアベースの対称位置の一方位置に一方の２つのバリア羽根を軸支し、その他方位置に他方の２つのバリア羽根を軸支し、さらに、一方の２つのバリア羽根を相対方向に、他方の２つのバリア羽根を相対方向に開閉駆動して４つのバリア羽根各々を一面上で開閉させる構成としたバリア羽根機構と、上記一方の２つのバリア羽根と他方の２つのバリア羽根の各々に閉成勢力を与えるばね部材と、撮影準備操作に連動し、上記一方の２つのバリア羽根を相対方向に開放駆動するカムと他方の２つのバリア羽根を相対方向に開放駆動するカムとを備え、上記した４つのバリア羽根を上記ばね部材のばね勢力に抗して開放させるリング状のバリア駆動部材とより構成したことを特徴とするカメラのレンズバリア装置を提案する。
【００２０】
このように構成したレンズバリア装置は、各バリア羽根が一面上で旋回して開閉動作すると共に、４つのバリア羽根各々がバリア駆動部材のカムによって独立に駆動されて開放動作し、また、ばね部材のばね力で閉成動作するため、バリア羽根各々を均等な駆動力で開閉させることができ、これより、バリア羽根が軽快、確実に動作するレンズバリア装置となる。
【００２１】
第２の発明としては、上記した第１の発明のレンズバリア装置において、リング状に形成したバリア駆動部材の周囲部に形成したバヨネット爪をカメラ本体またはレンズ鏡胴の前部に回動自在に連結し、さらに、バリアベースをバリアカバーとしてその周囲部をカメラ本体またはレンズ鏡胴の前部にバヨネット手段で取付ける構成としたことを特徴とするカメラのレンズバリア装置を提案する。
【００２２】
このように構成したレンズバリア装置は、バリア駆動部材とバリアベ−スの面上に取付け部所などを設ける必要がなく、これらの面上全体をバリア羽根の移動領域として利用することができる。
この結果、バリア羽根の移動領域が広くなり、一面で開閉させるバリア羽根機構として特に有利となる。
【００２３】
第３の発明は、上記した第１の発明または第２の発明のレンズバリア装置において、バリア羽根各々を薄い金属板で形成したことを特徴とするカメラのレンズバリア装置を提案する。
【００２４】
このレンズバリア装置は、薄い金属板からなる４つのバリア羽根が一面上で開閉する構成となることから、光軸方向の装置幅が短寸化されて組込みに極めて有利となる。
【００２５】
【発明の実施の形態】
次に、本発明の一実施形態について図面に沿って説明する。
図１はレンズバリア装置を示す分解斜視図で、３１はカメラ本体に固定する枠板、３２はレンズ鏡胴、３３は化粧リング、３４はコイルばね３５によって回動力を与えるバリア駆動リング、３６は羽根押え板、３７、３８は一方の第１、第２バリア羽根、３９、４０は他方の第１、第２バリア羽根、４１、４２はバリア羽根に閉成勢力を与えるばね、４３はバリアベ−スとしてのバリアカバ−、４４はバリアカバ−４３の回転止め、４５は化粧銘板を示す。
【００２６】
枠板３１のカム板３１ａに形成した傾斜カム３１ｂには、バリア駆動リング３４の連動カム３４ａが対接し、この連動カム３４ａが傾斜カム３１ｂを摺動することでバリア駆動リング３４を回動させる。
【００２７】
レンズ鏡胴３２は、撮影停止操作でカメラ本体に収納され、また、撮影準備操作で収納位置から繰り出されて撮影可能位置に進出する構成となっている。
【００２８】
このレンズ鏡胴３２は、撮影レンズ３２ａを備える他に、バリア駆動リング３４のバヨネット爪３４ｂを回動自在に係止させるバヨネット係止部３２ｂと、バリアカバ−４３のバヨネット爪４３ａを係止させるバヨネット係止部３２ｃとを有している。
【００２９】
つまり、バリア駆動リング３４をレンズ鏡胴３２にバヨネット手段によって回動自在に取付け、また、バリアカバ−４３をバヨネット手段によって固定的にレンズ鏡胴３２に取付けるようにしてある。
【００３０】
その他、このレンズ鏡胴３２の周囲部には光軸方向に形成した孔部を設け、枠板３１のカム板３１ａをこの孔部を通してレンズ鏡胴３２の前側周囲に形成した切欠部に突出させるようになっている。
【００３１】
バリア駆動リング３４は、このリング３４とレンズ鏡胴３２との間に係架したコイルばね３５により右回動勢力を受ける。
すなわち、レンズ鏡胴３２が収納位置に繰り入れられると、このバリア駆動リング３４も共に後退移動し、連動カム３４ａが傾斜カム３１ｂを滑り落ちることから左回動し、これに伴なってコイルばね３５のばね力が蓄えられる。
【００３２】
また、レンズ鏡胴３２が収納位置から繰り出される場合は、バリア駆動リング３４も前進し、その連動カム３４ａが傾斜カム３１ｂを摺動しながら昇るため、このバリア駆動リング３４がコイルばね３５のばね力を受けて右回動する。
【００３３】
さらに、このバリア駆動リング３４は４枚のバリア羽根を駆動するもので、その対称位置にはバリア駆動用のカム４６、４７が設けてある。
【００３４】
一方の第１バリア羽根３７と第２バリア羽根３８はそれらの一端部を同一の支軸４８によってバリアカバ−４３に旋回自在に軸支し、また、この支軸４８に設けた一つのばね４１によってこれら第１、第２バリア羽根３７、３８に閉成勢力を与える構成となっている。（図２参照）
【００３５】
他方の第１バリア羽根３９と第２バリア羽根４０についても同様に、同一の支軸４９によってバリアカバ−４３に旋回自在に軸支し、また、この支軸４９に設けた一つのばね４２によって閉成勢力を与えるようになっている。（図2参照）
【００３６】
また、一方の第１、第２バリア羽根３７、３８に設けた駆動ピン５０、５１（図２参照）が羽根押え板３６の切欠き３６ａを通ってバリア駆動リング３４のカム４６に対接するようになっており、他方の第１、第２バリア羽根３９、４０に設けた駆動ピン５２、５３（図２参照）が羽根押え板３６の切欠き３６ｂを通ってバリア駆動リング３４のカム４７に対接するようになっている。
【００３７】
羽根押え板３６は、バリア駆動リング３４とバリア羽根の間に設け、この押え板３６に形成した線状の凸条部３６ｃによってバリア羽根の動作を円滑化させるものである。
【００３８】
上記構成のレンズバリア装置は、バリア駆動リング３４をバヨネット手段でレンズ鏡胴３２に組付け、バリア羽根と羽根押え３６を取付けたバリアカバ−４３をバヨネット手段によってレンズ鏡胴３２に組付ける。
なお、このとき化粧リング３３をレンズ鏡胴３２の外部に嵌合させておく。
そして、バリアカバ−４３の回転止め４４を組付けた後に、化粧銘板４５をバリアカバ−４３の前面に貼付する。
【００３９】
次に、上記したレンズバリア装置の動作について図２〜図５を参照して説明する。
図２はバリア羽根の閉成状態を示す要部構成図であり、この図ではバリア駆動リング３４、バリア羽根３７〜４０、バリア羽根駆動部を示し、レンズ鏡胴３２、羽根押え板３６、バリアカバ−４３などについては省略してある。
なお、図示した二点鎖線４３ｂはバリアカバ−４３に設けてある光通過孔を示す。
【００４０】
既に述べたように、レンズ鏡胴３２がカメラ本体に収納されることにより、バリア駆動リング３４の連動カム３４ａがカム板３１ａの傾斜カム３１ｂを滑り落ちるため、バリア駆動リング３４がコイルばね３５のばね力を蓄えるようにして左回動する。
【００４１】
バリア駆動リング３４が左回動し、カム４６、４７が旋回することにより、一方の第１、第２バリア羽根３７、３８の駆動ピン５０、５１と、他方の第１、第２バリア羽根３９、４０の駆動ピン５２、５３との旋回動が許容されるようになり、一方の第１、第２バリア羽根３７、３８がばね４１のばね力を受けて旋回し、他方の第１、第２バリア羽根３９、４０がばね４２のばね力を受けて旋回し、図２に示すバリア閉成状態となる。
【００４２】
図３は一方の第１、第２バリア羽根３７、３８の駆動部を示した図２の部分拡大図である。
図示するように、バリア駆動リング３４に設けたカム４６は直線カム部４６ａと曲線カム部４６ｂとを有しており、直線カム部４６ａにより駆動ピン５０を、曲線カム部４６ｂにより駆動ピン５１を駆動する構成となっている。
【００４３】
なお、カム４６については、バリア駆動リング３４に形成した凹面部とリング面との段形壁を直線カム部４６ａ、曲線カム部４６ｂとして形成し、上記駆動ピン５０、５１をその凹面部内に突入させてある。
【００４４】
したがって、バリア駆動リング３４が左回動すると、直線カム部４６ａが駆動ピン５０より離れる方向に移動し、また、駆動ピン５１が曲線カム部４６ｂを滑り落ちることから、一方の第１、第２バリア羽根３７、３８がばね４１のばね力で旋回し、図２に示すように、バリア閉成動作となる。
【００４５】
他方のカム４７は上記したカム４６と同構成となっており、駆動ピン５２が直線カム部４７ａにより、駆動ピン５３が曲線カム部４７ｂにより各々駆動される。
したがって、バリア駆動リング３４が左回動することで、直線カム部４７ａが駆動ピン５２から離れる方向に移動し、駆動ピン５３が曲線カム部４７ｂを滑り落ちることから、他方の第１、第２バリア羽根３９、４０がばね４２のばね力で旋回し、図２に示すように閉成動作する。
【００４６】
一方、レンズ鏡胴３２が収納位置から繰り出されると、既に述べたように、バリア駆動リング３４の連動カム３４ａがカム板３１ａの傾斜カム３１ｂを摺動しながら昇り、コイルばね３５のばね力を受けて右回動する。
【００４７】
これより、バリア駆動リング３４のカム４６、４７とが駆動ピン５０、５１と５２、５３とを駆動してバリア羽根を図４に示すように開放する。
具体的には、バリア駆動リング３４が右回動すると、図５に拡大して示したように、カム４６の直線カム部４６ａが駆動ピン５０を押し回し、また、駆動ピン５１が曲線カム部４６ｂを昇りながら旋回する。
【００４８】
したがって、一方の第１、第２バリア羽根３７、３８がばね４１のばね力に抗して旋回し、バリア開放位置に移る。
なお、図５は図４上の部分的な拡大図である。
他方側のカム４７も同様に動作し、直線カム部４７ａによって駆動ピン５２が押し回され、駆動ピン５３が曲線カム部４７ｂを昇るように旋回するため、他方の第１、第２バリア羽根３９、４０が旋回し、バリア開放位置に移る。
【００４９】
このように、レンズ鏡胴３２を繰り出すことで、バリア駆動リング３４が右回動し、一方の第１、第２バリア羽根３７、３８と他方の第１、第２バリア羽根３９、４０とが光通過孔４３ｂを全体的に開放させ、撮影可能となる。
【００５０】
バリア羽根がこのように開放した状態でレンズ鏡胴３２をカメラ本体に収納させると、バリア駆動リング３４が図４において左回動し、上記したようにカム４６、４７の直線カム部４６ａ、４７ａが駆動ピン５０、５１より離れるように移動し、曲線カム部４６ｂ、４７ｂが駆動ピン５２、５３を滑り落ちるように移動することから、一方の第１、第２バリア羽根３７、３８がばね４１のばね力で閉成旋回し、他方の第１、第２バリア羽根３９、４０がばね４２のばね力で閉成旋回して図２に示すバリア閉成状態となる。
【００５１】
バリア羽根が閉成した図２の状態では、一方の第１バリア羽根３７と他方の第１バリア羽根３９の一側縁が対接し、また、一方の第２バリア羽根３８が他方の第１バリア羽根３９の他側縁に対接し、他方の第２バリア羽根４０が一方の第１バリア羽根３７の他側縁に対接する。
この結果、一方の第１、第２バリア羽根３７、３８と他方の第１、第２バリア羽根３９、４０とが一面上で閉成するレンズバリア装置となる。
【００５２】
以上、レンズ鏡胴３２を繰り出すタイプのカメラに実施した一例について説明したが、レンズ鏡胴が繰り出されないカメラについては、バリア駆動リング３４を撮影準備操作と撮影停止操作に連動して回動させる構成とすることにより上記同様に実施することができる。
【００５３】
【発明の効果】
上記した通り、本発明によれば、４枚のバリア羽根を備えてバリア羽根の退避移動距離を短くすると共に、バリア駆動リングのカムによってバリア羽根各々を独立に駆動させる構成としたことから、開口面積を大きくしてバリア羽根の退避移動距離を短くすることができ、また、バリア羽根の開閉動作が軽快で確実なレンズバリア装置となる。
【００５４】
また、このレンズバリア装置は、バリア羽根が一面上で開閉動作するので、閉成状態においてバリア羽根の段差が生じないことから、バリア羽根の段差部に塵などが付着するようなことがなく、また、外観の見栄えの良いレンズバリア装置となる。
【図面の簡単な説明】
【図１】本発明の一実施形態として示したレンズバリア装置の分解斜視図である。
【図２】上記レンズバリア装置のバリア閉成状態を示した要部構成図である。
【図３】図２上の一部を拡大して示した部分図である。
【図４】バリア開放状態を示した図２同様の要部構成図である。
【図５】図３上の一部を拡大して示した部分図である。
【図６】従来例として示したレンズバリア装置のバリア閉成状態を示す簡略図である。
【図７】バリア開放状態を示す図6同様の簡略図である。
【符号の説明】
３１  枠板
３１ａ  カム板
３２  レンズ鏡胴
３４  バリア駆動リング
３４ａ  連動カム
３５  コイルばね
３７、３８  一方の第１、第２バリア羽根
３９、４０  他方の第１、第２バリア羽根
４１、４２  ばね
４３  バリアカバ−
４６、４７  カム
４６ａ、４７ａ  直線カム部
４６ｂ、４７ｂ  曲線カム部
５０、５１、５２、５３  駆動ピン
【図１】
0004614195.tif 000002
【図２】
0004614195.tif 000003
【図３】
0004614195.tif 000004
【図４】
0004614195.tif 000005
【図５】
0004614195.tif 000006
【図６】
0004614195.tif 000007
【図７】
0004614195.tif 000008